(57)【要約】【課題】インクタンクをキャリッジに搭載したいわゆるオンキャリッジ方式の記録装置における液体噴射装置において、インク注入時にインクがキャリッジの内部に垂れても液体噴射ヘッドやメンテナンスシステムといった各要素へインクが付着するのを抑制する。【解決手段】液体噴射装置１は、媒体に対しノズルから液体を噴射する液体噴射ヘッド１０と、液体噴射ヘッド１０に供給する液体を収容する液体収容部材２０と、液体噴射ヘッド１０と液体収容部材２０とを搭載し、移動経路上を移動可能なキャリッジ３０と、を備える。液体収容部材２０は、液体噴射ヘッド１０よりも上方に配置された、液体を注入する為の液体注入口３２を有する。キャリッジ３０は、当該キャリッジ３０内に流入した液体を排出可能な液体排出口３４を有する。【選択図】図１０
2019069587.tif 000002
【特許請求の範囲】
【請求項１】
媒体に対しノズルから液体を噴射する液体噴射ヘッドと、
前記液体噴射ヘッドに供給する液体を収容する液体収容部材と、
前記液体噴射ヘッドと前記液体収容部材とを搭載し、移動経路上を移動可能なキャリッジと、を備え、
前記液体収容部材は、前記液体噴射ヘッドよりも上方に配置された、前記液体を注入する為の液体注入口を有し、
前記キャリッジは、当該キャリッジ内に流入した前記液体を排出可能な液体排出口を有することを特徴とする液体噴射装置。
【請求項２】
前記液体注入口と前記液体排出口は、前記液体噴射ヘッドを基準として、前記キャリッジの移動方向の同じ側に配置されていることを特徴とする請求項１に記載の液体噴射装置。
【請求項３】
前記キャリッジが前記液体収容部材への液体注入が可能な位置にあるときに、前記液体排出口の下方となる位置に吸収体が設けられていることを特徴とする請求項１または２に記載の液体噴射装置。
【請求項４】
前記キャリッジが前記液体収容部材への液体注入が可能な位置にあるとき、前記液体排出口の下方であって前記吸収体の上方となる位置に前記液体排出口から流出した前記液体を受容可能な液体受容部材が設けられており、前記液体受容部は、前記液体を受容可能な受容部と、前記受容部で受容された前記液体を前記吸収体側に導く誘導部と、を有することを特徴とする請求項３に記載の液体噴射装置。
【請求項５】
所定位置で前記液体噴射ヘッドと接触し、前記ノズルが開口した閉空間を形成可能なキャップを更に備え、
前記液体収容部材への液体注入が可能となる位置である前記キャリッジの液体注入可能位置が、前記液体噴射ヘッドと前記キャップとが対向する位置である対向位置とは異なる位置に設定されていることを特徴とする請求項１から４のいずれか一項に記載の液体噴射装置。
【請求項６】
前記媒体を搬送する媒体搬送部材を更に備え、
前記キャリッジが前記液体注入可能位置にあるときに、前記液体排出口は、前記キャリッジにおける前記媒体搬送部材が設けられる側の反対側に位置することを特徴とする請求項５に記載の液体噴射装置。
【請求項７】
前記液体排出口は、前記キャリッジが前記移動経路上にある時に、上方からの平面視で前記キャップと重ならない位置に設けられていることを特徴とする請求項５または請求項６に記載の液体噴射装置。
【請求項８】
前記液体噴射ヘッドを払拭可能な払拭部材を更に備えており、
前記液体排出口は、前記キャリッジが前記移動経路上にある時に、上方からの平面視で前記払拭部材と重ならない位置に設けられていることを特徴とする請求項１から請求項７のうち何れか一項に記載の液体噴射装置。
【発明の詳細な説明】
【技術分野】
【０００１】
本発明は、液体噴射装置に関する。
【背景技術】
【０００２】
従来、プリンターの液体噴射装置として、インクを連続して供給可能なインクタンクがキャリッジ外に設けられた、いわゆるオフキャリッジ方式のものが利用されている（例えば特許文献１参照）。このような構成では、一般的にはインクタンクがヘッドよりも低い位置に設けられていることから、インク注入口からのインク注入時にインクが垂れたとしてもヘッドが汚れるようなことはない。
【０００３】
それに対し、インクを連続して供給可能なインクタンクをキャリッジに搭載した、いわゆるオンキャリッジ方式の液体噴射装置においては、インクタンクをキャリッジに搭載するという構造上、インク注入口を液体噴射ヘッドやメンテナンスシステムの上方に配置した構成とすることが考えられる。
【先行技術文献】
【特許文献】
【０００４】
【特許文献１】特開２０１５−１９９２６４号公報
【発明の概要】
【発明が解決しようとする課題】
【０００５】
しかし、オンキャリッジ方式の液体噴射装置においてインク注入口を液体噴射ヘッドやメンテナンスシステムの上方に配置した構成とした場合、インク注入時にインクが垂れると、インク注入口の下方にある液体噴射ヘッドやメンテナンスシステムといった各要素へ付着し、各要素の信頼性の低下を招く可能性がある。
【０００６】
そこで、本発明は、インクタンクをキャリッジに搭載したいわゆるオンキャリッジ方式の記録装置における液体噴射装置であって、インク注入時にインクがキャリッジの内部に垂れた場合における液体噴射ヘッドやメンテナンスシステムといった各要素の信頼性の低下を抑制することができる液体噴射装置を提供することを目的とする。
【課題を解決するための手段】
【０００７】
本発明の一態様に係る液体噴射装置は、
媒体に対しノズルから液体を噴射する液体噴射ヘッドと、
液体噴射ヘッドに供給する液体を収容する液体収容部材と、
液体噴射ヘッドと液体収容部材とを搭載し、移動経路上を移動可能なキャリッジと、を備え、
液体収容部材は、液体噴射ヘッドよりも上方に配置された、液体を注入する為の液体注入口を有し、
キャリッジは、当該キャリッジ内に流入した液体を排出可能な液体排出口を有するというものである。
【０００８】
この態様によれば、液体注入時に液体注入口から液体が垂れてキャリッジ内に流入した場合にも、当該流入した液体を液体排出口から排出することができる。したがって、液体注入口の下方にある液体噴射ヘッドやメンテナンスシステムといった各要素へ液体が付着するのを抑止することができる。
【０００９】
上記態様の液体噴射装置において、液体注入口と液体排出口は、液体噴射ヘッドを基準として、キャリッジの移動方向の同じ側に配置されていてもよい。この態様によれば、キャリッジ内に流入した液体が液体噴射ヘッドを超えずとも液体排出口に到達することから、より排出されやすい。
【００１０】
上記態様の液体噴射装置において、キャリッジが液体収容部材への液体注入が可能な位置にあるときに、液体排出口の下方となる位置に吸収体が設けられていてもよい。この態様によれば、液体排出口から流出した液体を吸収体で吸収することができるため、その他の要素へ液体が付着することをさらに抑止しやすい。
【００１１】
上記態様の液体噴射装置において、キャリッジが液体収容部材への液体注入が可能な位置にあるとき、液体排出口の下方であって吸収体の上方となる位置に液体排出口から流出した液体を受容可能な液体受容部材が設けられており、液体受容部は、液体を受容可能な受容部と、受容部で受容された液体を吸収体側に導く誘導部と、を有するものであってもよい。この態様によれば、吸収体が排出口の直下に配置されていないあるいはそのような配置が難しい構成の場合にも、液体排出口から流出した液体を導いて吸収体により吸収させることができる。
【００１２】
上記態様の液体噴射装置において、所定位置で液体噴射ヘッドと接触し、ノズルが開口した閉空間を形成可能なキャップを更に備え、液体収容部材への液体注入が可能となる位置であるキャリッジの液体注入可能位置が、液体噴射ヘッドとキャップとが対向する位置である対向位置とは異なる位置に設定されていてもよい。この態様によれば、乾燥によるノズルの詰まり等を抑止するためのキャップを備えた液体噴射装置において、液体噴射ヘッドを当該キャップからずらした状態で液体注入作業を行うようにすることで、ずれていない状態で不意にキャップを押圧したときに生じかねない液体逆流や気泡逆流、キャップ破損を抑止することができる。
【００１３】
上記態様の液体噴射装置は、媒体を搬送する媒体搬送部材を更に備え、キャリッジが液体注入可能位置にあるときに、液体排出口は、キャリッジにおける媒体搬送部材が設けられる側の反対側に位置する構成であってもよい。この態様によれば、液体排出口から流出した液体が媒体搬送部材や媒体の搬送路を汚すことを抑制することが可能となる。
【００１４】
上記態様の液体噴射装置において、液体排出口は、キャリッジが移動経路上にある時に、上方からの平面視でキャップと重ならない位置に設けられていてもよい。この態様によれば、液体排出口がキャップの上を通らないことから、排出液体によるキャップ汚れに起因して液体噴射ヘッドが汚れることを抑止することができる。
【００１５】
上記態様の液体噴射装置において、液体噴射ヘッドを払拭可能な払拭部材を更に備えており、液体排出口は、キャリッジが移動経路上にある時に、上方からの平面視で払拭部材と重ならない位置に設けられていてもよい。この態様によれば、液体排出口から液体が流出した際、払拭部材にインクが到達しにくいことから、払拭部材の汚れに起因して液体噴射ヘッドが汚れることを抑止することができる。
【図面の簡単な説明】
【００１６】
【図１】本発明の適用対象の一例であるプリンター（記録装置）を示す斜視図である。
【図２】図１に示す状態からペーパーサポートを開いた状態のプリンターを示す斜視図である。
【図３】図２に示す状態から上部カバーを開いた状態のプリンターを示す斜視図である。
【図４】インクタンクの注入口に補充容器を取り付けた状態のプリンターの一部を示す斜視図である。
【図５】筐体の一部を切り欠いて液体噴射装置およびその周辺の構造例を示す拡大斜視図である。
【図６】プリンターの内部の構成例を示す平面図である。
【図７】液体噴射装置の平面図である。
【図８】液体噴射装置の底面図である。
【図９】液体噴射装置の下方からみた斜視図である。
【図１０】液体噴射装置の概略構成を示す図である。
【図１１】内部に溝が設けられたキャリッジの構成例を示す平面図である。
【発明を実施するための形態】
【００１７】
添付図面を参照して、本発明の好適な実施形態について説明する。なお、各図において、同一の符号を付したものは、同一又は同様の構成を有する。
【００１８】
≪記録装置の概略構成≫
本発明の適用対象となる記録装置の概略構成例についてまず説明する。以下では、記録装置の一例としてインクジェットプリンタ（以下、単にプリンターと称する）を例に挙げて説明する（図１〜図５参照）。
【００１９】
なお、各図において示すＸ−Ｙ−Ｚ座標系は、Ｘ方向が液体噴射ヘッド１０の移動方向（すなわちキャリッジ３０の移動方向）であるとともに、当該プリンター１００の幅方向である。また、Ｙ方向がプリンター１００の奥行き方向、Ｚ方向がプリンター１００の高さ方向を示している。なお、各図において＋Ｙ方向をプリンター１００の前面側あるいは前方側とし、−Ｙ方向をプリンター１００の背面側あるいは後方側とする。また、プリンター１００の前面側から見て左側を＋Ｘ方向、右側を−Ｘ方向とする。また、＋Ｚ方向をプリンター１００の上方（上部、上面等を含む）とし、−Ｚ方向をプリンター１００の下方（下部、下面等を含む）とする。
【００２０】
プリンター１００は、ノズル１１からインク等の液体（以下、単にインクともいう）を噴射する液体噴射ヘッド１０と、液体噴射ヘッド１０を内部に備える筐体２と、筐体２の背面側に回動軸を備えて開閉するペーパーサポート３と、筐体２の上部を開閉する上部カバー４と、によって、その外観が構成されている。ペーパーサポート３を開くと、筐体２の上部に設けられるセット口５が現れる。セット口５には、媒体、例えばプリント用の用紙が挿入される。ペーパーサポート３は、筐体２の上部において、セット口５を含む領域を開閉するカバーであり、図２に示すように、開いた状態において傾斜姿勢をとり、セット口５にセットされる用紙を支持面３ａで支持するように構成されている。
【００２１】
ペーパーサポート３は、内部に収容可能、かつ内部から引き出し可能に構成される補助ペーパーサポート６を備えている。補助ペーパーサポート６を引き出すことにより、より長い用紙を安定して支持できるようになっている（図２参照）。
【００２２】
セット口５にセットされた用紙は、媒体搬送装置（図示省略）により＋Ｙ方向に送られる。そして、筐体２の内部において液体噴射ヘッド１０による記録が行われ、筐体２の前面に設けられる排出部８から記録後の用紙が排出される。
【００２３】
上部カバー４を開くと、筐体２の内部が露呈する（図３参照）。筐体２の内部には、用紙にインクを吐出して記録を行う液体噴射ヘッド１０を備えるキャリッジ３０が設けられている。キャリッジ３０において、液体噴射ヘッド１０は底部、すなわち−Ｚ方向側に設けられており、図３においては見えていない。キャリッジ３０は、ベルト移動機構（図３において符号１２で示す）などを含む搬送部によって、キャリッジ３０の移動経路Ｔ３０上を媒体搬送方向（＋Ｙ方向）と交差する幅方向（Ｘ方向）に移動可能に構成されている。
【００２４】
また、キャリッジ３０には、液体噴射ヘッド１０に供給するインク（液体）を収容するインクタンク（液体収容部材）２０が設けられている。本実施形態においては、インクタンク２０は一色（黒色）用であるが、複数の色に対応する複数のインクタンクをキャリッジ３０に搭載することもできる。
【００２５】
本実施形態においてインクタンク２０は、インクを補充容器１４（図４参照）から注入可能な液体注入口３２を備えている。液体注入口３２は、液体噴射ヘッド１０よりも上方に配置されていて、通常はキャップ２１（図３、図５参照）により閉じられている。インクタンク２０へのインクの補充は、キャップ２１を外し、キャリッジ３０が液体注入可能位置ＬＦＰに位置した状態で、補充容器１４を液体注入口３２に装着して行うことができる（図４参照）。
【００２６】
また、本実施形態において、筐体２の前面には、プリンター１００における操作入力を受け付ける操作パネル７が設けられている（図１等参照）。操作パネル７は、排出部８の上方に設けられている。排出部８には、引き出し可能に構成された排紙トレイ９が設けられている。
【００２７】
なお、詳しい説明は省くが、本実施形態のプリンター１００は、さらに、内部の液体残量を視認可能な透明度を有する材料で形成されるインクタンク２０の残量確認部１３ａ、インクタンク２０の残量確認部１３ａを視認可能な第１視認部１６、第１視認部１６を介して残量確認部１３ａを視認可能な第２視認部１７を備える（図１等参照）。残量確認部１３ａにおいては、インクタンク２０内のインクの液面Ｌが視認できるようになっている（図５参照）。
【００２８】
また、図２における符号１８ａは装置前側において操作パネル７等が設けられている面、符号１８ｂは面１８ａよりも奥まった位置にある第２視認部１７が配置される面、符号１９は第２視認部１７を面１８ａからオフセットした後方へ位置させる凹部、をそれぞれ示す。さらに、符号２２は、閉状態の上部カバー４によって凹部１９が隠れないように構成された切り欠き部を示す（図３等参照）。
【００２９】
続いて、本発明の好適な実施形態を説明する。以下では、本発明を適用したプリンター１００の液体噴射装置１について、図に示しながら説明する（図６〜図１０参照）。
【００３０】
≪液体噴射装置の構成≫
［第１実施形態］
本実施形態のプリンター１００における液体噴射装置１は、液体噴射ヘッド１０、インクタンク２０、キャリッジ３０等を備えている。また、キャリッジ３０には、液体排出口３４、蓋部材３３等が設けられている。さらに、プリンター１００は、吸収体４０、キャップ６０、払拭部材８０等を備えていてもよい。
【００３１】
図７に示すように、キャリッジ３０内には液体注入口３２が設けられたインクタンク２０が内蔵されており、液体排出口３４に近いインクタンク２０の−Ｘ方向側およびＹ方向側の壁面とキャリッジ３０との間には隙間が設けられている。
液体排出口３４は、キャリッジ３０内に流入したインク等の液体がキャリッジ３０の外に排出されるように、当該キャリッジ３０の底部等に設けられた排出口である。インク注入時にインクが垂れた場合、そのインクは、インクタンク２０の−Ｘ方向側またはＹ方向側へと流れ、インクタンク２０の壁面を伝わってインクタンク２０とキャリッジ３０との間の隙間を垂れ落ちる。その後、キャリッジ３０の底部に伝わったインクは液体排出口３４側へと流れ、液体排出口３４からキャリッジ３０の外側へ排出される（図１０参照）。液体注入口３２が設けられるインクタンク２０の上面および、インクタンク２０の−Ｘ方向側およびＹ方向側の壁面には、インク注入時に垂れたインクが液体排出口３４側へ流れやすいように、溝や突起を設けるようにしても良い。
【００３２】
液体注入口３２とこの液体排出口３４は、液体噴射ヘッド１０を基準として、移動経路Ｔ３０に沿って移動する際のキャリッジ３０の移動方向において同じ側に配置されていることが好ましい。こうした場合、キャリッジ３０内に流入したインクが液体噴射ヘッド１０を横切らずとも液体排出口３４に到達することができ、排出されやすい。本実施形態では、液体噴射ヘッド１０を基準として、液体注入口３２とこの液体排出口３４がともに−Ｘ方向（プリンター１００の前面側から見て右側の方向）に配置されている（図６等参照）。
【００３３】
液体排出口３４は、キャリッジ３０における用紙（媒体）を搬送する媒体搬送部材が設けられる側の反対側に配置されているのが好ましい。例えば、媒体搬送部材（図示省略）がプリンター１００の幅方向（Ｘ方向）の中央付近に配置されている本実施形態の液体噴射装置１においては、キャリッジ３０における、媒体搬送部材が設けられる側とは反対側（−Ｘ方向）となる位置に液体排出口３４が配置されている（図６等参照）。こうした配置にした場合、液体排出口３４から流出したインクが媒体搬送部材や媒体（用紙）の搬送路を汚すことを抑えやすくすることが可能となる。
【００３４】
吸収体４０は、インクを吸収する部材によって形成されている。本実施形態の吸収体４０は、少なくともキャリッジ３０が液体注入可能位置ＬＦＰ（インクタンク２０への液体注入が可能な位置）にあるとき、液体排出口３４の下方となる位置に、液体排出口３４から流出したインクを吸収することができるように設けられている（図７参照）。液体排出口３４から流出したインクはこの吸収体４０によって吸収されることから、インクがその他の要素部材へ付着することが抑止される。例えば、液体排出口３４から流出したインクを吸収体４０によって吸収することで、インクが筐体２の外壁や底面を伝って外部に漏れることが抑止される。
【００３５】
液体受容部材５０は、液体排出口３４から流出したインクを吸収体４０まで誘導する部材である。液体受容部材５０は、少なくともキャリッジ３０が液体注入可能位置ＬＦＰ（インクタンク２０への液体注入が可能な位置）にあるとき、液体排出口３４の下方であって吸収体４０の上方となる位置に配置される（図１０参照）。図１０に示す液体受容部材５０は、液体排出口３４から流出したインクを受容する受容部５２と、受容部５２で受容されたインクを吸収体４０の方へと導く誘導部５４と、を備えた構成となっている。吸収体４０が液体排出口３４の直下に配置されていない場合、あるいはそのような配置が難しい等の場合に、上記のごとき液体受容部材５０を採用することにより、液体排出口３４から流出したインクを導いて吸収体４０により吸収させることが可能となる。
【００３６】
キャップ６０は、液体噴射ヘッド１０の乾燥によるノズル１１の詰まり等を抑止する部材である。本実施形態のキャップ６０は、キャリッジ３０が所定位置にある場合に液体噴射ヘッド１０と接触する位置に配置されている。なお、本明細書では、液体噴射ヘッド１０とキャップ６０とが対向した状態となるキャリッジ３０の初期位置を対向位置もしくはホームポジションＨＰという（図６参照）。キャップ６０は、ホームポジションＨＰにあるキャリッジ３０の液体噴射ヘッド１０に対し、ノズル１１が開口した閉空間を形成する。なお、図６中の符号１１Ｒは、ノズル１１が形成される領域（ノズル形成面）を示している。
【００３７】
ここで、本実施形態の液体噴射装置１においては、キャリッジ３０の液体注入可能位置ＬＦＰと、上記ホームポジションＨＰとをずらして互いを異なる位置に設定している。一般に、液体噴射ヘッド１０とキャップ６０とが対向した状態でキャップ６０に下向きの押圧力が作用するとその影響でインク、気泡の逆流やキャップ破損が生じるおそれがあるが、本実施形態ではこのように液体注入可能位置ＬＦＰをホームポジションＨＰからずらしておくことで、インク注入の際（図４参照）、ユーザーが補充容器１４を下方へ押し込む等にして押圧力が作用したとしても、その影響によるインク、気泡の逆流やキャップ破損が生じないようにしている。
【００３８】
また、上記のごときキャップ６０に対し、液体排出口３４を、キャリッジ３０がその移動経路Ｔ３０上にある時に、上方からの平面視で当該キャップ６０と重ならない位置に設けるようにすれば、排出されたインクによるキャップ汚れに起因して液体噴射ヘッド１０が汚れることを抑止することができる。例えば本実施形態では、液体排出口３４を、キャリッジ３０が移動経路Ｔ３０上のいずれの位置にあってもキャップ６０よりも手前（＋Ｙ方向）となる位置に配置している（図６参照）。
【００３９】
払拭部材８０は、液体噴射ヘッド１０が接触する位置に配置され、当該液体噴射ヘッド１０を払拭する部材である（図６参照）。この液体噴射ヘッド１０に対し、液体排出口３４を、キャリッジ３０がその移動経路Ｔ３０上にある時に、上方からの平面視で払拭部材８０と重ならない位置に設けられていれば、液体排出口３４から流出したインクが払拭部材８０に到達しにくく、払拭部材８０が汚れることを抑止することができる。例えば本実施形態では、液体排出口３４を、キャリッジ３０が移動経路Ｔ３０上のいずれの位置にあっても払拭部材８０よりも手前（＋Ｙ方向）となる位置に配置している（図６等参照）。
【００４０】
蓋部材３３は、液体注入口３２を開閉する部材である。本実施形態の蓋部材３３は、キャリッジ３０の上面のヒンジ部３３ａにおいてピン結合され、Ｘ方向に平行な軸を中心に開閉動作する。この蓋部材３３は、動作途中で視認部（第１視認部１６、第２視認部１７）から離れる方向に移動することで液体注入口３２を開放するので、インク注入の際、インクタンク２０内のインクの液面Ｌを視認することの差し支えとなることはない。なお、蓋部材３３はその一部が弾性部材で構成されていても良いし、その全てが弾性部材で構成されていても良い。
【００４１】
ここまで説明したように、本実施形態の液体噴射装置１によれば、液体注入時に液体注入口から液体が垂れてキャリッジ内に流入した場合にも、当該流入した液体を液体排出口から排出することができる。したがって、液体注入口の下方にある液体噴射ヘッドやメンテナンスシステムといった各要素へ液体が付着するのを抑止することができる。インク垂れに起因してヘッドに不具合が生じるのを抑制することができる。これは、特に、液体注入口３２を、液体噴射ヘッド１０や、キャップ６０や払拭部材８０等のメンテナンスシステムの上方に配置した構成とすることが多いと考えられるいわゆるオンキャリッジ方式の液体噴射装置１において有用である。
【００４２】
なお、以上説明した実施形態は、本発明の理解を容易にするためのものであり、本発明を限定して解釈するためのものではない。実施形態が備える各要素並びにその配置、材料、条件、形状およびサイズ等は、例示したものに限定されるわけではなく適宜変更することができる。また、異なる実施形態で示した構成同士を部分的に置換し又は組み合わせることが可能である。
【００４３】
［第２実施形態］
上記の実施形態では液体排出口３４をキャリッジ３０の底面に設けた例を示したが、これに代え、あるいはこれに加えて、液体排出口３４をキャリッジ３０の側面に設けてもよい。
【００４４】
［第３実施形態］
液体排出口３４をキャリッジ３０の側面に設ける場合、液体排出口３４の一部または全部を、キャリッジ３０の内部から外部に向けて下向きに傾斜させてもよい。こうした場合には、キャリッジ３０の内部に垂れたインクを外部に流出させやすい。
【００４５】
［第４実施形態］
キャリッジ３０の内部に、液体排出口３４に向かって延びる溝３６を設けても良い（図１１参照）。こうした場合、溝３６の毛細管力でキャリッジ３０の内部に垂れたインクを液体排出口３４に導きやすい。
【００４６】
［第５実施形態］
液体噴射装置１に、液体噴射ヘッド１０から排出されたインクを収容する廃液収容部（図示省略）を設けてもよい。また、液体排出口３４の鉛直下方となる位置に設けられる吸収体４０は上記の廃液収容部に設けられる吸収体であっても良い。こうした場合は、吸収体を別部材で構成する必要がなくコスト低減につながる。
【００４７】
［第６実施形態］
キャリッジ３０を、複数色分のインクタンク（液体収容部材）２０を搭載できる構成としても良い。
【００４８】
［第７実施形態］
媒体（例えばプリント用の用紙）を搬送する媒体搬送装置（図示省略）の上方に、移動するキャリッジ３０から落下した液体を受け止める受け部材（図示省略）を設けてもよい。この場合、液体排出口３４を、キャリッジ３０が移動経路Ｔ３０上にある時に受け部材の鉛直上方を移動するように配置してもよい。こうした場合には、液体排出口３４からインクが垂れた際、媒体や媒体の搬送路に直接インクが落下するのを抑制することが出来る。
【産業上の利用可能性】
【００４９】
本発明は、媒体に記録を行う記録手段を備える記録装置の液体噴射装置に適用して好適である。
【００５０】
液体噴射ヘッド１０が噴射する液体はインクに限らず、例えば機能材料の粒子が液体に分散又は混合されてなる液状体などであってもよい。例えば、液体噴射ヘッド１０は、液晶ディスプレイ、ＥＬ（エレクトロルミネッセンス）ディスプレイまたは面発光ディスプレイの製造などに用いられる電極材または色材（画素材料）などの材料が分散または溶解した液状体を噴射する構成にしてもよい。
【符号の説明】
【００５１】
１…液体噴射装置、１０…液体噴射ヘッド、１１…ノズル、２０…インクタンク（液体収容部材）、３０…キャリッジ、３２…液体注入口、３４…液体排出口、３６…溝、４０…吸収体、５０…液体受容部材、５２…受容部、５４…誘導部、６０…キャップ、７０…搬送部材、８０…払拭部材、１００…プリンター（記録装置）、ＨＰ…（キャリッジの）ホームポジション、ＬＦＰ…（キャリッジの）液体注入可能位置、Ｔ３０…キャリッジの移動経路、Ｔ３２…液体注入口の移動軌跡
【図１】
2019069587.tif 000003
【図２】
2019069587.tif 000004
【図３】
2019069587.tif 000005
【図４】
2019069587.tif 000006
【図５】
2019069587.tif 000007
【図６】
2019069587.tif 000008
【図７】
2019069587.tif 000009
【図８】
2019069587.tif 000010
【図９】
2019069587.tif 000011
【図１０】
2019069587.tif 000012
【図１１】
2019069587.tif 000013